(57)【要約】【課題】例えば、壁つなぎを取り付ける際に、屈折点経由での２点間の距離が所定の値の範囲内であるか否かを容易に確認でき、しかも低コストで製作可能な測定具を提供する。【解決手段】測定具Ｃは直角三角形状で、斜辺21以外の２つの辺22のなす角度は２本の基準線１のなす角度に等しく直角となっており、２本の基準線１のなす角度に等しい角度で交わる２つの辺を有している。斜辺以外21の２つの辺22は、施工図Ｂと同一の縮尺で３０５ｍｍ間隔の目盛23が記されている。即ち、基準線１のなす角度に等しくなるように角度が設定された２つの辺22に沿ってモジュールに基づく目盛23が記されている。測定具Ｃの上面には、直角の頂点24からの距離の合計値が上限値に等しくなるような組み合わせを示す複数の「組み合わせ表示線25」が記されている。【選択図】      図４
2009115642.tif 000002
【特許請求の範囲】
【請求項１】
平面上で交差する２本の基準線の交点からの距離が所定のモジュールの整数倍となるように夫々の基準線上に設定されたポイントと、前記交点との間の距離の合計値を、前記モジュールの整数倍で表された所定の値と比較するための測定具であって、
前記２本の基準線のなす角度に等しい角度で交わる２つの辺を有する板材からなり、
前記２つの辺に沿って前記所定のモジュールに基づく目盛が記され、
前記２つの辺が構成する頂点からの距離の合計値が前記所定の値に等しくなるような目盛の組み合わせを示す組み合わせ表示線が複数記されたことを特徴とする測定具。
【発明の詳細な説明】
【技術分野】
【０００１】
本発明は、図上の２点間の、ある点を経由した距離が所定の数値以下であるか否かを容易に確認することができる測定具に関するものである。
【背景技術】
【０００２】
従来より、建物の建築工事において、建物の外周面に所定の数値以下の間隔となるように部材を設置することがある。例えば、建物の建築中に建物の外周部にそって仮設する足場のぐらつきや揺れを防止する為に、建物の外周部の壁、梁等と足場とを壁つなぎで連結することが行われており（例えば特許文献１を参照）、この壁つなぎには平面的な取り付け間隔に上限値が設定され、壁つなぎ1ヶ所あたりに作用する荷重が許容値を超えないように設置される。
【０００３】
所定の平面モジュールを有し、該平面モジュールに基づく基準線上に各種部材の取り付け用のボルト孔を穿孔した梁を配置し構成した工業化住宅においては、この壁つなぎを、梁のフランジやウェブのボルト孔を利用して直接、或は壁つなぎ取り付け用のアンカー部材を介して固定することがある。この場合、壁つなぎの取り付け間隔も平面モジュールの整数倍となり、取り付け間隔の上限値も平面モジュールの整数倍となるように設定される。
【０００４】
また、壁つなぎの取り付け位置は所定の縮尺で描かれた梁伏図等の施工図に表記され、施工図の作成時には、壁つなぎの取り付け間隔が上限値以下であることを確認する作業が行われる。
【０００５】
この確認作業は、隣接する壁つなぎが同一の壁面に配置される場合は、単に施工図と同一縮尺の目盛が記された物差し（スケール）を施工図上の壁つなぎ取り付け位置にあてることで容易に行うことができる。
【０００６】
しかし、隣接する壁つなぎが、建物の出隅部（或は入隅部）を越えて、隣接する他の壁面に配置される場合、施工図上で建物の出隅部（或は入隅部）から夫々の壁つなぎまでの間隔を物差し（スケール）で測定し、さらにその値を合計するという作業が必要であり、確認作業に時間がかかっていた。
【０００７】
一方、地図上で道のりの測定が可能なマップメータ、カーブメータ等と呼ばれる測定装置があり（例えば特許文献２など）、建築図面上での部材の取り付け間隔の確認作業にも応用することが可能である。しかし、複雑な機構を有する為高価であり、しかも図面上で測定すべきルートに沿ってトレースする必要があり作業時間の軽減にはつながらなかった。
【０００８】
【特許文献１】特開平５−３４００８６号公報
【特許文献２】実開昭６０−１５４８６３号公報
【発明の開示】
【発明が解決しようとする課題】
【０００９】
本発明は、上記従来技術の問題を解決し、屈折点経由での２点間の距離が所定の値の範囲内であるか否かを容易に確認でき、しかも低コストで製作可能な測定具を提供することを目的とする。
【課題を解決するための手段】
【００１０】
上記課題を解決する為の本発明に係る測定具の構成は、平面上で交差する２本の基準線線上において前記２本の基準線の交点からの距離が所定のモジュールの整数倍となるように設定されたポイントと、前記交点との間の距離の合計値が、前記モジュールの整数倍で表された所定の上限値以下であることを確認するための測定具であって、前記２本の直線のなす角度に等しい角度で交わる２つの辺を有する板材からなり、前記２つの辺に沿って前記所定のモジュールに基づく目盛が記され、前記２つの辺が構成する頂点からの距離の合計値が前記上限値に等しくなるような目盛の組み合わせを示す組み合わせ表示線が複数記されたことを特徴とする。
【発明の効果】
【００１１】
本発明に係る測定具によれば、交差する２本の基準線に測定具の前記２本の基準線のなす角度に対応した角度で交わる２つの辺を重ね合わせるとともに、２つのポイントと、測定具に示された組み合わせ表示線で組み合わされた一対の目盛との位置関係を確認することによって、基準線の交点から夫々のポイントまでの距離の合計値（換言すると、基準線の交点経由での２つのポイント間の距離）と所定の値との比較を容易に行うことができる。
【００１２】
また、本測定具は板材を２本の直線のなす角度に対応した形状に加工し、目盛や目盛の組み合わせを記しただけの単純な構成の為、多大なコストをかけることなく製作することができる。
【発明を実施するための最良の形態】
【００１３】
本発明に係る測定具の好ましい実施形態について図を用いて説明する。本実施形態は、鉄骨造の工業化住宅の外周部に取り付ける仮設の足場用の壁つなぎを固定するためのアンカー部材の取り付け間隔が上限値の範囲内であるか否かを施工図上で確認するための測定具であり、図１は建物にアンカー部材が取り付けられた状態を示す正面図及び断面図、図２はアンカー部材の取り付け位置を示した施工図（２階梁伏図）、図３は本発明に係る測定具を示す図、図４〜図６は本発明に係る測定具の使用方法を示す図である。
【００１４】
図１に示す工業化住宅である建物Ａは、３０５ｍｍの平面モジュールを有し、モジュールに基づく格子状の基準線（通り芯）１上に鉄筋コンクリート造の布基礎７を構築し（図７参照）、該布基礎６上に柱（不図示）、梁２、耐震要素（不図示）等を組み立てて上部架構を構成し、更にモジュールの等倍及び２倍の幅（３０５ｍｍ、６１０ｍｍ）を有するＡＬＣからなる床パネル３、壁パネル４によって床・壁が構成される。梁２のフランジやウェブには汎用的に付帯部材が取り付けられるボルト孔２ａがモジュールに基づくピッチで穿設されている。
【００１５】
図１に示すアンカー部材５は、外周部の梁２の外部側のフランジに前記ボルト孔２ａを利用してボルト６にて取り付けられる。従って、アンカー部材５の間隔はモジュールの整数倍となり、出隅或は入隅からの距離もモジュールの整数倍となる。また、アンカー部材５の取り付け間隔の上限値は、平部、出隅まわし部、入隅まわし部いずれの場合であってもモジュールの１２倍である３６６０ｍｍに設定されている。また、アンカー部材５が壁パネル４の目地部に位置するように壁パネル４の割り付けが決定されている。
【００１６】
図２に示す施工図（２階梁伏図）Ｂにおいて、基準線１は一点鎖線で表記され、基準線１に沿って配置される梁２は各梁２の長さに対応した長さの棒状の記号11で表記され、アンカー部材５の取り付け位置は三角の記号12で表記されている。
【００１７】
図３に示す測定具Ｃは、施工図Ｂ上で、出隅部13あるいは入隅部14におけるアンカー部材５の取り付け位置を示す記号12の間隔（以下単にアンカー部材12の間隔とする）が前記上限値の範囲内であるか否かを確認するためのものである。
【００１８】
測定具Ｃはアクリル樹脂からなる透明の板材からなる。透明の板材で構成されている為、測定具Ｃを施工図Ｂ上に置いた状態でも図が透視でき作業性がよい。
【００１９】
測定具Ｃの形状は直角三角形状である。即ち、斜辺21以外の２つの辺22ａ、22ｂのなす角度は２本の基準線１のなす角度に等しく直角となっており、２本の基準線１のなす角度に等しい角度で交わる２つの辺を有している。
【００２０】
また、測定具Ｃの斜辺以外21の２つの辺22ａ、22ｂは、施工図Ｂと同一の縮尺で３０５ｍｍ間隔の目盛23が記されている。即ち、基準線１のなす角度に等しくなるように角度が設定された２つの辺22ａ、22ｂに沿ってモジュールに基づく目盛23が頂点24を起点として記されている。測定具Ｃの上面には、頂点24からの距離の合計値が上限値３６６０ｍｍに等しくなるような組み合わせを示す複数の組み合わせ表示線25が記されている。組み合わせ表示線25は異なる色で記されており、目盛23の組み合わせが容易に確認できるように構成されている。（本図では色の表現が困難であるので線種を変えて表現している。）
【００２１】
測定具Ｃを用いたアンカー部材12の間隔の確認方法は以下のとおりである。
（１）施工図Ｂ上で出隅部13（あるいは入隅部14）の直交する２本の基準線１の交点と測定具Ｃの頂点24とを一致させるとともに、２本の基準線１と測定具Ｃの目盛の記された２つの辺22とを重ね合わせる。
（２）測定具Ｃの一方の辺22上における頂点24に最も近いアンカー部材12の位置に一致する目盛23を確認する。
（３）上記目盛23と組み合わせ表示線25によって組み合わされた他方の辺22の目盛23と他方のアンカー部材12との位置関係を確認する。
（４）他方のアンカー部材12が他方の辺22の目盛23よりも頂点24側に位置する、あるいは目盛23に一致する場合、出隅部13（あるいは入隅部14）でのアンカー部材12の間隔は上限値の範囲内であることがわかる。
【００２２】
例えば、図４において、出隅部13ａを基準とした場合の最初のアンカー部材12ａは一方の辺22ａの目盛23ａに一致し、他方のアンカー部材12ｂは組み合わせ表示線25ａによって組み合わされた他方の辺22ｂの目盛23ｂよりも頂点24側に位置する。（即ち、他方のアンカー部材12ｂは一目盛分だけ出隅部13ａ寄りに位置する。）従って、出隅部13ａにおいてアンカー部材12ａと12ｂとの間隔は上限値３６６０ｍｍよりも３０５ｍｍだけ小さな間隔であり、上限値の範囲内であることがわかる。
【００２３】
また、図５に示す入隅部14においては、２つのアンカー部材12ｃ、12ｄの位置が一本の組み合わせ表示線25ａによって組み合わされた一対の目盛23ａ、23ｃに一致することが確認でき、アンカー部材12ｃと12ｄとの間隔は上限値に一致し経済的な部材配置がなされていることがわかる。
【００２４】
また、他方のアンカー部材12（例えば、図４に示すアンカー部材12ａよりも右側に位置するアンカー部材）が他方の辺22の目盛23よりも測定具Ｃの頂点24から離れた位置にある場合、出隅部13（あるいは入隅部14）でのアンカー部材12の間隔は上限値を越えていることがわかる。
【００２５】
例えば、図６において、他方のアンカー部材12ｆの位置と、一方のアンカー部材12ｅの位置に一致する目盛23ｄと組み合わせ表示線25ｂによって組み合わされた目盛23ｅの位置とを比較すると前者のほうが６１０ｍｍだけ頂点24よりも離れた位置にあり、アンカー部材12ｅと12ｆとの間隔は上限値を越えていることがわかる。この場合、アンカー部材12の位置を変更しその間隔が上限値を越えないようにする。
【００２６】
上記の如く、本発明に係る測定具Ｃを使用することにより施工図Ｂ上で建物Ａの出隅部13（あるいは入隅部14）におけるアンカー部材12の間隔の確認作業を短時間に容易に行うことができる。また、本測定具Ｃは、直角三角形の透明アクリル板に目盛23と組み合わせ表示線25を記すだけの構成であるので低コストで製作することができる。
【００２７】
図７に示すように、布基礎７の上端部に中心が基準線に一致するように凹状に形成される床下換気孔７ａを出隅部13（あるいは入隅部14）に所定の間隔以下で配置する場合においても、床下換気孔７ａの配置を表記した図面と、床下換気孔の間隔の上限値に基づく組み合わせ表示線を記した測定具を用意することにより、床下換気孔７ａの間隔の確認作業を同様の手法を用いて容易に行うことができる。
【００２８】
また、図８に示すように、壁パネル４の３０５ｍｍピッチの基準線の中間位置に穿設される換気ガラリ４ａを出隅部あるいは入隅部に所定の間隔以下で配置する場合においても、その間隔の確認作業を同様の手法を用いて容易に行うことができる。
【００２９】
上記実施例は２本の基準線が直交する一般的な建物における測定具の適用例であるが、基準線の交わる角度は特に限定されるものでなく、任意の角度であってよく、その角度に応じて測定具の２つの辺のなす角度を設定すればよい。また、測定具の形状も三角形に限定されるものではなく、例えば、２本の基準線のなす角度に等しい角度で交わる２つの辺に替えて透明な板に２本の基準線に対応する２本の直線を記しこの直線に沿って目盛を記したものであってもよい。
【産業上の利用可能性】
【００３０】
本発明に係る測定具は、建築の分野に限らず、２点間の他の１点経由での距離が所定の間隔あるいは所定の間隔以内であることを確認する場合に広く応用することができる。
【図面の簡単な説明】
【００３１】
【図１】（ａ）建物にアンカー部材５が取り付けられた状態を示す正面図である。（ｂ）建物にアンカー部材５が取り付けられた状態を示す断面図である。
【図２】アンカー部材の取り付け位置を示した施工図（２階梁伏図）である。
【図３】本発明に係る測定具を示す図である。
【図４】測定具の使用方法を示す図である。
【図５】測定具の使用方法を示す図である。
【図６】測定具の使用方法を示す図である。
【図７】測定具の他の適用部位を示す図である。
【図８】測定具の他の適用部位を示す図である。
【符号の説明】
【００３２】
Ａ…建物
Ｂ…施工図（２階梁伏図）
Ｃ…測定具
１…基準線
２…梁
２ａ…ボルト孔
３…床パネル
４…壁パネル
４ａ…換気ガラリ
５…アンカー部材
６…ボルト
７…布基礎
７ａ…床下換気孔
11…梁（を示す記号）
12（12ａ〜12ｆ）…アンカー部材
13（13ａ、13ｂ）…出隅部
14…入隅部
21…斜辺
22（22ａ、22ｂ）…辺
23（23ａ〜23ｅ）…目盛
24…頂点
25（25ａ、25ｂ）…組み合わせ表示線
【図１】
2009115642.tif 000003
【図２】
2009115642.tif 000004
【図３】
2009115642.tif 000005
【図４】
2009115642.tif 000006
【図５】
2009115642.tif 000007
【図６】
2009115642.tif 000008
【図７】
2009115642.tif 000009
【図８】
2009115642.tif 000010